(57)【要約】【課題】垂木の先端部に屋根面の先端部を構成する前枠の取付作業を極めて容易とすることができる簡易屋根を提供する。【解決手段】第１接合部材１１は、垂木５に接合される垂木接合部１３と、垂木接合部１３から垂木５の前方に突出して前枠８に接合される前枠接合板１２とを備えている。前枠接合板１２には、先端側に第１被係合部１６が設けられ、基端側の繋ぎ部１４に第２被係合部１８が設けられている。前枠８には、第１被係合部１６と第２被係合部１８とのそれぞれに個別に係合可能な係合部８４が設けられている。係合部８４を第１被係合部１６に係合した状態から第２被係合部１８に係合した状態に移動することにより、前枠８が当該前枠８の垂木５への取付位置に対して離れた位置から前記取付位置もしくは取付位置近傍に移動する。【選択図】図２
2008208671.tif 000002
【特許請求の範囲】
【請求項１】
屋根面の傾斜方向に沿って延在して複数配置される垂木と、当該垂木に支持されて前記屋根面を構成する屋根パネルと、前記屋根面の先端部を構成するとともに、前記垂木の先端部に取り付けられる前枠と、前記垂木の先端部と前枠とを接合する接合部材とを備えた簡易屋根であって、
前記接合部材は、前記垂木に接合される垂木接合部と、当該垂木接合部から前記垂木の前方に突出して前記前枠に接合される前枠接合部とを一体として備え、
前記前枠接合部には、先端側に第１被係合部が設けられ、基端側に第２被係合部が設けられ、
前記前枠には、前記第１被係合部と前記第２被係合部とのそれぞれに個別に係合可能な係合部が設けられ、
前記係合部を第１被係合部に係合した状態から第２被係合部に係合した状態に移動することにより、前記前枠が当該前枠の前記垂木への取付位置に対して離れた位置から前記取付位置もしくは取付位置近傍に移動することを特徴とする簡易屋根。
【発明の詳細な説明】
【技術分野】
【０００１】
本発明は、テラス、バルコニー、カーポート等の上方を覆う簡易屋根に関する。
【背景技術】
【０００２】
一般的な簡易屋根は、屋根面の傾斜方向に沿って延在するとともに、前記傾斜方向と直交する方向に互いに間隔をあけて並んで配置された複数の垂木と、垂木と直交する方向に配置されて垂木を支持する桁材と、桁材を支持する複数の柱と、垂木に支持される例えば透明な樹脂製の屋根パネルと、屋根面の先端部を構成する前枠と、垂木間に架け渡されて屋根パネルを支持する野縁と、建物の外壁面に固定され垂木の基端部を支持する垂木掛けとを有する。
【０００３】
このような簡易屋根は、例えば、建物の一階のテラスや、建物に隣接するカーポートの屋根や、建物の二階以上のバルコニーの屋根として用いられる。
そして、前記垂木の先端部に前枠を取り付ける際には、接合部材（ブラケット）を介して接合している（例えば、特許文献１参照）。
【０００４】
このような簡易屋根の構築は、通常一人の作業者によって行われることになるが、この場合に、複数の垂木の先端部間に渡って配置される前枠を取り付ける際に、長尺な前枠を複数の垂木の先端間に架け渡した状態に保持することが困難であり、作業性が悪いという問題があった。
そこで、垂木の先端部や接合部材の先端部等に前枠に設けられた係合部を係合可能な被係合部を設けておき、垂木の先端部等の被係合部に前枠の係合部を係合させることで、垂木の先端部に前枠を仮支持した状態とし、仮支持された状態の前枠を垂木の取付位置に押えて付けて前枠を垂木や垂木に接合された接合部材に例えばビスやボルト等により接合していた。
【０００５】
【特許文献１】特開平１１−２９３８３６号公報（図４）
【発明の開示】
【発明が解決しようとする課題】
【０００６】
ところで、垂木の先端部に前枠を仮支持させることで、長尺な前枠を垂木の先端部に配置することが容易となり、一人での前枠の取付け作業が簡略化されるが、例えば、垂木に前枠をビス止めする際には、仮支持された前枠を持って垂木側のねじ孔と前枠側のビス孔の位置を片手で合わせた状態で、ビスをビス孔に挿入しながらドライバでビスを回転させてねじ込む必要がある。
【０００７】
すなわち、作業者は、仮支持されているが、取付位置に位置合わせされてない前枠と、ビスと、ドライバを持って作業を行う必要があり、前枠が仮支持されることで、前枠全体を支持する必要はないが、必ずしも十分には作業性が改善せれていなかった。
ここで、垂木側に前枠を仮支持させる際に、前枠の取付位置に位置決めされた状態に前枠を仮支持させることが考えられるが、この場合に、長尺な前枠を作業者一人で、全長に渡って取付位置に正確に配置させるとともに仮支持させる作業が困難なものとなる。
【０００８】
言い換えれば、ただ単に被係合部に係合部を引っ掛ける程度に前枠を仮支持させるのなら、作業者一人でも簡単にできるが、取付位置に前枠を位置合わせしながら前枠を仮支持させるとなると、作業が困難なものとなってしまう。
よって、取付位置に前枠を仮支持させる場合には、仮支持させてしまえば、前枠の取付作業は、前枠を持って位置合わせする必要がなく、ビスとドライバとを持って作業すればよいので、取付作業が容易となるが、取付位置に前枠を仮支持させる作業が困難となり、全体としては必ずしも作業が容易なものとならない。
【０００９】
本発明はこのような事情に鑑みてなされたもので、前枠の取付作業を極めて容易とすることができる簡易屋根を提供することを目的とする。
【課題を解決するための手段】
【００１０】
前記目的を達成するために、請求項１に記載の簡易屋根は、屋根面の傾斜方向に沿って延在して複数配置される垂木と、当該垂木に支持されて前記屋根面を構成する屋根パネルと、前記屋根面の先端部を構成するとともに、前記垂木の先端部に取り付けられる前枠と、前記垂木の先端部と前枠とを接合する接合部材とを備えた簡易屋根であって、
前記接合部材は、前記垂木に接合される垂木接合部と、当該垂木接合部から前記垂木の前方に突出して前記前枠に接合される前枠接合部とを一体として備え、
前記前枠接合部には、先端側に第１被係合部が設けられ、基端側に第２被係合部が設けられ、
前記前枠には、前記第１被係合部と前記第２被係合部とのそれぞれに個別に係合可能な係合部が設けられ、
前記係合部を第１被係合部に係合した状態から第２被係合部に係合した状態に移動することにより、前記前枠が当該前枠の前記垂木への取付位置に対して離れた位置から前記取付位置もしくは取付位置近傍に移動することを特徴とする。
【発明の効果】
【００１１】
本発明の簡易屋根によれば、垂木先端部に前枠を取り付ける際に、垂木に垂木接合部が接合され、かつ、前枠接合部が垂木の前方に突出した接合部材の当該前枠接合部の先端側の第１被係合部に前枠の係合部を係合させることで、垂木の先端部に前枠を仮支持させる。
この状態で、長尺な前枠は、垂木の先端部に仮支持されるが、この際の仮支持位置は、接合部材の先端部となり、作業者一人でも容易に前枠を垂木に仮支持させる作業を行うことができる。
【００１２】
次に、作業者は、垂木に前枠を仮支持させた状態で、前枠を垂木の取付位置側に移動させることにより、前枠の係合部が前枠接合部の先端側の第１被係合部に係合した状態から基端側の第２被係合部に係合した状態とする。これにより、前枠は垂木への取付位置もしくは取付位置近傍に仮支持された状態となる。
この作業は、既に前枠が垂木側に仮支持された後の作業なので、作業者一人でも容易に行うことができる。そして、この作業後は、前枠が前記垂木との取付位置もしくはその近傍に位置決めして配置された状態で仮支持されているので、容易に前枠を垂木および接合部材に接合することができる。
【００１３】
すなわち、作業者の一回の動作で、前枠を取付位置もしくはその近傍に仮支持させるのではなく、一度、仮支持が容易な位置に前枠を仮支持させた後に、前枠をその取付位置まで移動して再び仮支持するようにしているので、前枠を取付位置に仮支持する作業が一人でも容易に行えるものとなる。
【発明を実施するための最良の形態】
【００１４】
以下、添付した図面を参照しながら、本発明の実施の形態を説明する。
図１、図２は本発明の実施の形態に係る簡易屋根を示すものである。
図１、図２に示すように、簡易屋根１は、建物の外壁面に固定されて屋根の基端部側を支持する垂木掛け２と、屋根を支持する複数の支柱３と、当該支柱３に支持されるとともに屋根面の傾斜方向に対して直交する方向に延在する桁材４と、前記垂木掛け２および桁材４に支持され、屋根面の傾斜方向に沿って延在して配置され、かつ、屋根面の傾斜方向に直交する方向に間隔をあけて並んで複数配置される垂木５と、屋根面の傾斜方向に直交する方向に沿って垂木５間に架け渡されて配置される野縁６と、垂木５と野縁６に支持されるとともに屋根面を構成する屋根パネル７（図２に図示）と、垂木５の先端部に取り付けられて屋根面の先端部を構成する前枠８と、垂木５の先端部と前枠８とを接合する第１および第２接合部材１１，１１ａとを備えている。
【００１５】
前記垂木掛け２は、外壁面の屋根の基端部となる高さ位置に水平に延在して固定され、垂木５の基端部が接続されて支持されるようになっている。また、垂木掛け２は、外壁面を構成する縦材や柱等に固定されている。
支柱３は、基本的に屋根の先端部側を支持する。なお、図２においては、屋根面の傾斜方向に沿って、屋根面の先端側と基端側との二箇所に桁材４と支柱３とが図示されているが、これは、後述のように垂木５が湾曲していても、桁材４を任意の箇所に移動して取り付け可能であることを示しているもので、実際には、桁材４および支柱３は屋根の先端側だけに設けられる。なお、例えば、垂木掛け２において垂木５の基端部を支持するのに十分な強度を確保できない場合に、屋根面の先端側と基端側との両方に支柱３を設ける構成とする場合もある。
【００１６】
また、この実施形態では、屋根の先端に支柱３が配置されることはなく、屋根の先端より僅かに後方となる位置に支柱３が配置される。また、支柱３は、屋根の傾斜方向に直交する方向に沿って並んで２本以上配置されるとともに、最も外側の支柱は、屋根の左端部および右端部に配置される。また、図示しない支柱の下端部は、簡易屋根１が建物の一階のテラスやカーポート等に設けられる場合に、地面に設けられた基礎に接続され、簡易屋根１が建物の二階以上に設けられる場合、例えば、二階以上のバルコニーに設けられる場合に、バルコニーの手摺となる壁に固定される。
【００１７】
桁材４は、この実施の形態において、図２に示すように、垂木取付部４ａと、桁部４ｂとから構成されている。垂木取付部４ａは、概略円筒状の部材で、垂木５に直接取り付けられる部材であり、垂木５に取り付けられる部分を除いて概略円筒状で外周面が円弧面となっている。また、概略円筒状の垂木取付部４ａは、垂木５の軸方向と直交する方向に配置される。また、垂木取付部４ａは、複数の垂木５間にわたって配置されるほど長尺ではなく、各垂木５毎に別々に取り付けられている。
【００１８】
桁部４ｂは、屋根の左右幅に渡って延在する部材であり、円筒状の垂木取付部４ａに回転自在に嵌合する円弧面状の凹部を備えている。従って、垂木取付部４ａと桁部４ｂとからなる桁材４は、屋根の垂木の傾斜角度に関係なく取付可能となっている。また、この実施の形態の屋根は、湾曲した屋根であり、先端に向かうにつれて傾斜が大きくなるようになっており、屋根の傾斜方向の取り付け位置によって、屋根の傾斜角度が異なるものとなる。ここで、桁材４が上述のように屋根の傾斜角度に拘わらず取付可能なので、屋根の傾斜方向の任意の位置に桁材４を取付可能となっている。
また、桁材４には、支柱３の上端部が取付可能となっている。
【００１９】
前記垂木５は、隣り合う垂木５同士の間に屋根パネル７を支持可能となっている。また、この実施の形態において、上述のように屋根面が湾曲していることから、垂木５も湾曲したものとなっている。
そして、垂木５の基端部は、前記垂木掛け２に固定され、垂木５の先端部には、前枠８が固定される。また、垂木５の下側には上述の桁材４が固定される。また、垂木５の先端面は、垂木５の先端部の上面および下面にほぼ直交するようになっている。
【００２０】
また、垂木５は、例えば、左右の側板と、天板と底板とから概略四角筒状となる型材からなっており、端面は、開口した状態となっている。
そして、垂木５の先端部には、図３に示すように、接合部材１１，１１ａが接続されている。なお、この例において、接合部材１１，１１ａには、図３および図４に示す第１接合部材１１と、図５に示す第２接合部材１１ａとが用いられている。
【００２１】
第１接合部材１１と、第２接合部材１１ａとの違いは、後述の第１被係合部１６および第２被係合部１８があるか否かの違いである。
第１接合部材１１および第２接合部材１１ａは、共通の構成要素として、概略四角筒状の垂木５の先端部の左右の側板のうちの一方の側板の内面側に接続される板状の垂木接合部１３と、垂木５の先端部に取り付けられる前枠８に接続される前枠接合板１２と、これら垂木接合部１３と前枠接合板１２とを一体に繋ぐ繋ぎ部１４とを有する。なお、接合部材１１，１１ａのうちの前枠接合板１２と繋ぎ部１４を合わせた部分が、垂木接合部１３から垂木５の前方に突出して前枠８に接合される前枠接合部となっている。
【００２２】
垂木接合部１３は、概略四角板状の部材で、垂木５の長さ方向、すなわち、屋根面の傾斜方向に沿う垂直面に沿って配置され、概略四角筒状の垂木５の先端面の開口部から垂木５内に挿入された状態で、垂木５の右の側板もしくは左の側板に当接した状態となっている。また、垂木接合部１３の下側縁は、垂木５の底板に接触した状態となっている。なお、垂木５の底板は垂木の種類によって肉厚が異なるため、垂木接合部１３の下側縁は垂木５の底板に接触しない場合もある。
【００２３】
また、垂木接合部１３の中央には、ねじ孔１５が形成され、垂木５の側板に形成されたビス孔から挿入されたビス２１により、垂木５の先端部の右もしくは左の側板に固定されるようになっている。
前枠接合板１２は、四角板状の部材であり、垂木接合部１３に対して直角に配置されており、垂木５の端面にほぼ平行となっている。また、前枠接合板１２は、垂木接合部１３に対して垂木５の延長線上に離間して配置された状態となっている。すなわち、垂木接合部１３を垂木５の先端部に固定した状態で、前枠接合板１２は、垂木５の端面から前方に離間した位置に配置される。
【００２４】
また、前枠接合板１２は、前枠８をビス止めするためのビス孔１７が形成されている。
これら垂木接合部１３と前枠接合板１２とを繋ぐ繋ぎ部１４は、クランク状に二箇所で屈曲した形状となっている。
繋ぎ部１４は、垂木接合部１３の先端縁から垂木５の長さ方向に沿って前方に延出する垂木接合部１３に沿った部分と、この部分から前枠接合板１２に向けて直角に屈曲して垂木接合部１３に対して直角となり前枠接合板１２に対して平行となる部分と、この部分からさらに直角に前側に屈曲して垂木接合部１３と平行となる部分とを備え、この部分の先端部から直角に屈曲するように前枠接合板１２が設けられている。
【００２５】
また、垂木接合部１３に対して繋ぎ部１４は、上下幅が短く、かつ、繋ぎ部１４の下辺と垂木接合部１３の下辺とが同一平面内にあるので、垂木接合部１３と繋ぎ部１４との間には、繋ぎ部１４に対して垂木接合部１３が高くなる段差がある。また、前枠接合板１２も、その下辺が、垂木接合部１３および繋ぎ部１４の下辺と同一平面内にある。
また、第１被係合部１６および第２被係合部１８を有する第１接合部材１１においては、前枠接合板１２の上下幅は、垂木接合部１３より狭く、繋ぎ部１４より広いものとなっており、繋ぎ部１４と前枠接合板１２との間にも、繋ぎ部１４より前枠接合板１２が高くなる段差が形成されている。そして、前枠接合板１２の繋ぎ部１４より高くなった部分が第１被係合部１６となっている。
【００２６】
また、上述のクランク状の繋ぎ部１４の前枠接合板１２に繋がれる垂木接合部１３に平行な部分に、上側に突出する第２被係合部１８が形成されている。
第２被係合部１８は、繋ぎ部１４の前枠接合板１２側に設けられるとともに、垂木５の先端面より前側に出た部分に設けられている。
また、第２被係合部１８は、前枠接合板１２から遠ざかるにつれて高くなる斜辺と、当該斜辺の最も高くなったところで、繋ぎ部１４の上面と直交するように形成される垂直辺とから概略直角三角形状に形成されている。
【００２７】
そして、第２被係合部１８の垂直辺となる部分と、垂木５の先端面との間には、後述の前枠８の取付部８ａの係合部８４を挿入可能な間隔があけられており、第２被係合部１８の係合部を係合させること（掛けること）で、後述のように前枠８を垂木５への取付位置の極めて近傍に仮支持することが可能となっている。
【００２８】
第１被係合部１６および第２被係合部１８が無い第２接合部材１１ａにおいては、前枠接合板１２の下辺と、垂木接合部１３の下辺と、繋ぎ部１４の下辺とが同一平面内に配置されるとともに、繋ぎ部１４の上下幅と、前枠接合板１２の上下幅とが等しく、繋ぎ部１４と前枠接合板１２との間に段差が無い形状となっている。また、繋ぎ部１４の上面にも段差や突起等がない形状となっている。
【００２９】
なお、第１および第２接合部材１１，１１ａには、垂木接合部１３に対して、繋ぎ部１４の中央部分（クランク状の繋ぎ部１４の垂木接合部１３に対して直角で、前枠接合板１２に対して平行となる部分）と、前枠接合板１２とが右に屈曲する右型と、これらが左に屈曲する左型とがある。そして、簡易屋根１で使用される垂木５の本数によって配置が異なるが、例えば、各垂木５毎に、右型もしくは左型の一方が用いられる。また、右型の第１および第２接合部材１１，１１ａは、垂木接合部１３が垂木５の右側壁の内面に固定されて、前枠接合板１２が垂木５の右側に突出した状態となり、左型の第１および第２接合部材１１，１１ａは、垂木５の左側壁の内面に垂木接合部１３が固定され、前枠接合板１２が垂木５の左側に突出した状態にとなる。
【００３０】
したがって、垂木５に重なる位置から前枠接合板１２が右か左にずれ、ビス孔１７が垂木５と重ならない位置に配置される。
また、垂木５の先端部に垂木接合部１３を接合した状態で、クランク状の繋ぎ部１４の中央の垂木接合部１３に直角となる部分が垂木５の先端面となる部分に配置され、それより先の垂木接合部１３に直角で前枠接合板１２に接続される部分が垂木５より前側に突出した状態となっている。
【００３１】
図６には、垂木５が４本使用された簡易屋根１の先端部の断面が示されており、中央部分の２本の垂木５には、第１被係合部１６および第２被係合部１８を有する第１接合部材１１が配置され、両端の２本の垂木５には、第１被係合部１６および第２被係合部１８がない第２接合部材１１ａが配置されている。また、中央より左側の２本の垂木５には、垂木接合部１３に対して前枠接合板１２が右に曲がる第１および第２接合部材１１，１１ａが用いられ、中央より右側の２本の垂木５には、垂木接合部１３に対して前枠接合板１２が左に曲がる第１および第２接合部材１１，１１ａが用いられている。なお、図６には、屋根の基端部側から先端部側を見た状態が図示されており、簡易屋根１をその前側から見た場合と左右が逆となる。
【００３２】
垂木５の側面には野縁６の端部が接合される。
野縁６は、並んで配置される２本の垂木５同士の間に配置され、両端部がそれぞれ垂木５に接合されている。そして、垂木５同士の間で屋根パネル７を支持するようになっている。なお、屋根パネル７が後述のように樹脂製であることから、垂木５間に架け渡された状態の屋根パネル７が垂木５同士の間で下側に撓むの防止している。
【００３３】
屋根パネル７は、例えば、アクリルやポリカーボネート等の透明樹脂板であり、この屋根パネル７の基端部が垂木掛け２に移動不可に支持され、先端部が前枠８に移動不可に支持され、左右側縁部がそれぞれ垂木５と垂木５の上に配置される垂木カバー９との間に挟まれて移動不可に支持されている。これにより、屋根パネル７は、雪等の荷重に耐えるとともに、風の吹き上げに耐えるようになっている。
【００３４】
前枠８は、垂木５の先端部に取り付けられる取付部８ａと、屋根パネル７の先端部を保持するパネル保持部８ｂと、屋根の先端部を構成する本体部８ｃと、屋根面が最も低くなる先端に取り付けられて、屋根面上に降った雨水を流すための樋８ｄとが一体に形成されている。
前枠８の取付部８ａには、先端部が垂木５の先端部下面に沿って配置される下板８１と、当該下板８１の基端部との間に後述の垂木５の先端部に取り付けられた第１接合部材１１の前枠接合板１２を挿入可能な間隔をあけて、当該下板８１の基端部に沿って配置される上板８２と、上板８２の基端側と下板８１の基端側とを繋ぐとともに、前枠接合板１２に当接して当該前枠接合板１２に接合される当接板８３とが備えられている。
【００３５】
前記当接板８３は、垂木５の先端との間に間隔をあけて対向した状態に配置されており、当接板８３と垂木５の先端面とは略平行となっている。そして、下板８１は、垂木５から離間した当接板８３の下側縁部から垂木５の先端部下面に至るように垂木５側に延出している。そして、下板８１の先端部は、垂木５の先端部の下面に当接した状態で、垂木５の下面側にビス８５によりビス止めされている。
【００３６】
また、下板８１のビス８５が貫通する位置には、予めビス孔が形成されている。また、垂木５の下面を構成する板状部分には、ビス８５がねじ込まれるねじ孔が形成されている。そして、ビス孔とねじ孔とが重なった位置に配置されている。
また、当接板８３は、第１接合部材１１の前枠接合板１２と当接した状態で、前枠接合板１２に設けられたビス孔１７から下穴なしでねじ込み可能なビス８６が当接板８３にねじ込まれることでビス止めされている。
【００３７】
前記上板８２は、前記当接板８３の上側縁部から下板８１と平行に垂木５の先端面に向かって延出して形成され、先端が垂木５の先端面に当接した状態となっている。また、上板８２は、下板８１より短いものとなっている。
また、上板８２には、当該上板８２の先端から下板８１に向かって屈曲して設けられるとともに垂木５の先端面に当接する係合部８４が設けられている。
【００３８】
前枠８の本体部８ｃは、取付部８ａの当接板８３より下側（垂木５の先端から離れる側）に延出して形成された概略四角筒状の部材であり、垂木５の先端部の傾斜に対応した状態で傾斜しており、垂木５の先端部（屋根パネル７の先端部）の傾斜を延長した状態に配置されている。
【００３９】
そして、本体部８ｃの屋根の上面となる側には、パネル保持部８ｂが形成されている。パネル保持部８ｂは、本体部８ｃから屋根面に直交するように立設された立設片９１と、立設片９１の先端部から本体部８ｃの上面に略平行に屋根の基端部側に延出する延出片９２とから一体に形成されている。
【００４０】
そして、パネル保持部８ｂの延出片９２と本体部８ｃの上面との間に、屋根パネル７の先端部が挿入されて保持される。
また、延出片９２と本体部８ｃとの間に、断面が楔上でさらに本体部８ｃ上面の溝と勘合する抜け止めを備えるビードが挿入され、屋根パネル７の先端部がパネル保持部８ｂに保持されるようになっている。
【００４１】
また、本体部８ｃの屋根面の外側となる部分に隣接して樋８ｄが設けられている。
樋８ｄは、底部９４と、前壁９５とを有し、本体部８ｃと前壁９５との間の底部９４上に雨水を流すようになっている。また、樋８ｄには、雨水を流下させるための図示しない縦樋に繋がる接続管９７が接続されている。
【００４２】
以上のような簡易屋根１における垂木５への第１および第２接合部材１１，１１ａを介した前枠８の取付方法を説明する。
この場合に、垂木５は、桁材４と、垂木掛け２に支持された状態となっており、桁材４は支柱３に支持され、垂木掛け２は建物の外壁面部分に建物の柱等により支持されている。
【００４３】
また、垂木５の先端部には、第１および第２接合部材１１，１１ａの垂木接合部１３がビス２１によりビス止めされ接合されている。
なお、この際に、簡易屋根１に３本以上の垂木５がある場合に、４つ以上の第１および第２接合部材１１，１１ａが用いられることになるが（垂木５が奇数の場合に中央に配置される垂木５には、２つの第１および第２接合部材１１，１１ａが用いられる）、そのうちの２つを第１および第２被係合部１６，１８を有する第１接合部材１１とし、残りの全てを第１および第２被係合部１６，１８が無い第２接合部材１１ａとする。
【００４４】
また、２つの第２被係合部１８を有する第１接合部材１１は、上述の右型と左型がひとつずつで、これらが簡易屋根１の中央から等距離にある垂木５に接続される。なお、第２被係合部１８を有する第１接合部材１１を２つより多く用いるものとしてもよいが、最低限２つあれば、垂木５に対して安定して前枠８を仮支持できる。
【００４５】
また、垂木５に前枠８を仮支持するように掛ける際に、垂木５の全てに前枠８を掛ける部分があると、垂木５の多くで、前枠８がかかるように前枠８を取り扱う必要があり、かえって手間がかかってしまう。それに対して、左右２箇所だけに前枠８を引っ掛ける部分があれば容易に前枠８を垂木５に引っ掛けるとともに前枠８のバランスをとることができる。
【００４６】
複数並んだ垂木５間に渡って前枠８を取り付ける場合には、まず、図７（ａ）に示すように、第１被係合部１６および第２被係合部１８を有する左右２つの第１接合部材１１の前枠接合板１３の上端部、すなわち、第１被係合部１６に、前枠８の取付部８ａの上板８２の先端の係合部８４を引っ掛けて係合させる。
この際に前枠８は、屋根面に対応した傾きよりも水平に近い傾きとし、取付部８ａの下板８１を垂木５の下面より離した位置とする。
【００４７】
次に、図７（ｂ）に示すように、第１被係合部１６に係合部８４が係合した状態で前枠８の先端部を屋根先端部の屋根の傾きに対応して下げると、下板８１が垂木５の下面に接触した状態となる。この際に前枠８の重心が取付部８ａより先端側にあるので、前枠８から作業者が手を離すと、前枠８の加重で前枠接合板１２に係合した状態の係合部８４を支点として前枠８の先端部を下方に向かわせる荷重がかかり、この際に下板８１には、係合部８４を支点として垂木５の下面に押付けられるように力がかかる。
【００４８】
よって、係合部８４が前枠接合板１２の上端部に係合するとともに、下板８１が垂木５の下面に当接した状態で、前枠８は安定して垂木５の先端部に仮支持された状態となる。
次に、図８（ａ）に示す状態から前枠８を垂木５の先端面に近づけるように垂木５の先端面側に前枠８を押付け、図８（ｂ）に示す状態とする。
【００４９】
この際には、下板８１の先端部上面が垂木５の下面に沿って移動し、上板８２の下面が前枠接合板１２の上縁に沿って移動する。すなわち、垂木５の下面と、前枠接合板１２の上縁とに案内された状態で前枠８を移動させることができる。
そして、この際に、係合部８４の先端が繋ぎ部１４の上に形成された第２被係合部１８の斜辺に接触し、斜辺に沿って上るように移動した後に、斜辺の後側の垂直片に落ち込む状態となる。これにより係合部８４は第２被係合部１８に係合した状態となる。この状態は、上述の最初に仮支持させた場合と同様に安定した状態となっており、作業者が手を離しても仮支持した状態が維持される。
【００５０】
この状態では、前枠８は、垂木５への完全な取付位置には至っていないが、取付位置の極めて近傍に配置された状態となる。この状態では、下板８１のビス孔を介して垂木５下面のねじ孔にビス８５をねじ込み可能となっている。
なお、第１および第２接合部材１１，１１ａの前枠接合板１２のビス孔１７を介してビス８６を前枠８の当接板８３にねじ込み可能となっている。
【００５１】
したがって、作業者は、前枠８が垂木５先端部に略位置決めされて仮支持された状態となっているので、前枠８を取付位置に保持するように持つ必要はなく、ビスとドライバを持ってビス止め作業を行うだけ、前枠８と垂木５の先端部に取り付けることができる。
【００５２】
ここで、図９および図１０は、前記実施の形態の変形例を示すものであって、前記実施の形態において、垂木５が屋根の先端に向かうにつれて傾斜角度が大きくなるように湾曲していたのに対して、この変形例では垂木５が湾曲することなく直線状に形成されていることだけが異なる。また、この変形例の前枠８は、前記実施の形態の前枠８と同様の構成要素からなるが、傾斜する屋根の一部としての傾斜角度が、前記実施の形態より小さい構成となっている。
図９、図１０において、前記実施の形態と同様の構成要素には同一の符号を付してその説明を省略する。
そして、図９および図１０に示される変形例においても、前記実施の形態と同様に前枠８を垂木５に接合することができる。
【図面の簡単な説明】
【００５３】
【図１】本発明の実施の形態に係る簡易屋根を示す要部斜視図である。
【図２】前記簡易屋根を示す要部断面図である。
【図３】図２の要部拡大図である。
【図４】前記簡易屋根の垂木へ前枠を接合するための第１接合部材を示す側面図、正面図、平面図である。
【図５】前記簡易屋根の垂木へ前枠を接合するための第２接合部材を示す側面図である。
【図６】図１のＡ−Ａ線に沿う断面図である。
【図７】垂木への前枠の取付方法を説明するための図である。
【図８】垂木への前枠の取付方法を説明するための図である。
【図９】本発明の実施の形態の変形例としての簡易屋根を示す要部断面図である。
【図１０】図９の要部拡大図である。
【符号の説明】
【００５４】
１        簡易屋根
５        垂木
７        屋根パネル
８        前枠
１１      第１接合部材（接合部材）
１２      前枠接合板（前枠接合部）
１３      垂木節合部
１４      繋ぎ部（前枠接合部）
１６      第１被係合部
１８      第２被係合部
８４      係合部
【図１】
2008208671.tif 000003
【図２】
2008208671.tif 000004
【図３】
2008208671.tif 000005
【図４】
2008208671.tif 000006
【図５】
2008208671.tif 000007
【図６】
2008208671.tif 000008
【図７】
2008208671.tif 000009
【図８】
2008208671.tif 000010
【図９】
2008208671.tif 000011
【図１０】
2008208671.tif 000012